(57)【要約】【課題】冷媒の吐出温度の上昇を抑制し、信頼性を損なうことの無いヒートポンプ式温水暖房装置を提供すること。【解決手段】本発明のヒートポンプ式温水暖房装置は、冷媒を圧縮する圧縮機１、高温冷媒と水とが熱交換を行う水冷媒熱交換器２、冷媒を減圧する減圧装置３、冷媒と空気とが熱交換を行う蒸発器４を順次環状に接続してなる冷凍サイクル６と、水冷媒熱交換器２で生成した高温水を暖房端末８へ送る温水ポンプ９とを備えたヒートポンプ式温水暖房装置において、蒸発器４内の冷媒流路を複数に分岐させて構成するとともに、蒸発器４における複数の冷媒流路のうち少なくとも１つの冷媒流路の空気と冷媒との熱交換量が、蒸発器４におけるその他の冷媒流路での空気と冷媒との熱交換量よりも少なくなるように構成する。【選択図】図１
2011052850.tif 000002
【特許請求の範囲】
【請求項１】
冷媒を圧縮する圧縮機、高温冷媒と水とが熱交換を行う水冷媒熱交換器、冷媒を減圧する減圧装置、冷媒と空気とが熱交換を行う蒸発器を順次環状に接続してなる冷凍サイクルと、前記水冷媒熱交換器で生成した高温水を暖房端末へ送る温水ポンプとを備えたヒートポンプ式温水暖房装置において、前記蒸発器内の冷媒流路を複数に分岐させて構成するとともに、前記蒸発器における複数の冷媒流路のうち少なくとも１つの冷媒流路の空気と冷媒との熱交換量が、前記蒸発器におけるその他の冷媒流路での空気と冷媒との熱交換量よりも少なくなるように構成することを特徴とするヒートポンプ式温水暖房装置。
【請求項２】
冷媒を圧縮する圧縮機、高温冷媒と水とが熱交換を行う水冷媒熱交換器、冷媒を減圧する減圧装置、冷媒と空気とが熱交換を行う蒸発器を順次環状に接続してなる冷凍サイクルと、前記水冷媒熱交換器で生成した高温水を貯める貯湯タンクと、前記貯湯タンク内の高温水を暖房端末へ送る温水ポンプとを備えたヒートポンプ式温水暖房装置において、前記蒸発器内の冷媒流路を複数に分岐させて構成するとともに、前記蒸発器における複数の冷媒流路のうち少なくとも１つの冷媒流路の空気と冷媒との熱交換量が、前記蒸発器におけるその他の冷媒流路での空気と冷媒との熱交換量よりも少なくなるように構成することを特徴とするヒートポンプ式温水暖房装置。
【請求項３】
前記蒸発器における複数の冷媒流路のうち少なくとも１つの冷媒流路の配管長を、前記蒸発器におけるその他の冷媒流路の配管長よりも短くしたことを特徴とする請求項１または２に記載のヒートポンプ式温水暖房装置。
【請求項４】
前記蒸発器における複数の冷媒流路のうち少なくとも１つの冷媒流路の配管の伝熱性能を、前記蒸発器におけるその他の冷媒流路の配管の伝熱性能よりも低くしたことを特徴とする請求項１から３のいずれか１つに記載のヒートポンプ式温水暖房装置。
【請求項５】
前記蒸発器を前後２列の構成とし、前記蒸発器における複数の冷媒流路のうち少なくとも１つの冷媒流路を流れる冷媒流れと空気流れと平行流とし、前記蒸発器におけるその他の冷媒流路を流れる冷媒流れと空気流れを対向流としたことを特徴とする請求項１から４のいずれか１つに記載のヒートポンプ式温水暖房装置。
【請求項６】
前記蒸発器における複数の冷媒流路のうち少なくとも１つの冷媒流路へ流れる冷媒量を、前記蒸発器におけるその他の冷媒流路へ流れる冷媒量よりも多くしたことを特徴とする請求項１から５のいずれか１つに記載のヒートポンプ式温水暖房装置。
【請求項７】
前記圧縮機、前記減圧装置、前記蒸発器を収納するヒートポンプユニットと、前記水冷媒熱交換器を収納する熱交換ユニットとを別ユニットにて構成し、前記熱交換ユニットを屋内に配したことを特徴とする請求項１から６のいずれか１項に記載のヒートポンプ式温水暖房装置。
【発明の詳細な説明】
【技術分野】
【０００１】
本発明は、ヒートポンプを用いて生成した温水で暖房を行うヒートポンプ式温水暖房装置に関する。
【背景技術】
【０００２】
従来では、石油やガスなどの燃焼系の燃料を熱源とした暖房機器の利用が大半を占めていたが、近年ではヒートポンプ技術を利用した暖房市場が急激に拡大している。また、従来の空気調和機においてもヒートポンプ技術を利用して、冷房と暖房の双方を利用することができるものもある。
【０００３】
しかしながら、従来の空気調和機だけでは、暖房時に足元が暖まりにくい等の課題があり、それを解消するためにヒートポンプ技術を利用した温水暖房装置が開発されている（例えば、特許文献１参照）。特許文献１に記載の温水暖房装置では、高温冷媒と温水とを熱交換して、熱交換して昇温した温水を床暖房パネル等の暖房端末へ送り、暖房を行っている。
【０００４】
図８は、従来のヒートポンプ式温水暖房装置の構成図である。図８に示すように、従来のヒートポンプ式温水暖房装置は、圧縮機１０１と、水冷媒熱交換器１０２の冷媒流路と、減圧装置１０３と、蒸発器１０４とを順次冷媒配管１０５で環状に接続して冷凍サイクル１０６を構成し、水冷媒熱交換器１０２の水流路と、温水暖房ポンプ１０９と、暖房端末１０８とを順次環状に接続して暖房サイクルを構成していた。そして暖房運転を開始すると冷凍サイクルの運転動作を開始し、温水循環ポンプ１０９を駆動することによって、水冷媒熱交換器１０２で昇温した温水を暖房端末１０８へ送り、床暖房パネル等の暖房端末１０８で居室内を暖房している。
【０００５】
このように構成されたヒートポンプ式温水暖房装置において、温水暖房運転中は常に温水暖房ポンプを駆動させているので、水冷媒熱交換器での熱交換は常に行われている状態である。
【先行技術文献】
【特許文献】
【０００６】
【特許文献１】特開２００６−２６６５８７号公報
【発明の概要】
【発明が解決しようとする課題】
【０００７】
しかしながら、暖房運転を長時間継続していると、暖房端末側も十分暖まってくるため、送った温水が暖房端末であまり放熱せず、あまり温度が下がらないまま水冷媒熱交換器へ温水が戻ってきてしまうことになる。そして温度低下が少ない高温水が水冷媒熱交換器へ戻ってくると、低温水が戻ってきたときに比べて、冷媒の高圧側が上がってしまい、その結果、冷媒の吐出温度が上昇してしまう。
【０００８】
さらには、水冷媒熱交換器での冷媒状態が気体から液体への凝縮変化を伴う場合、温度変化を伴わない２相域があるため、熱交換する水と冷媒の温度差が小さくなる領域が発生し、熱交換能力が低下するため、冷媒の圧力が上昇することになり、結果的に冷媒の吐出温度が上昇してしまう。
【０００９】
このように、所望の温度にする必要がある水と冷媒とが熱交換を行う冷凍サイクルを有
するヒートポンプ式温水暖房装置においては、冷媒の高圧が上昇し、吐出温度が上昇してしまい、その結果、材料劣化及び油劣化が進み、圧縮機機構部の信頼性が低下してしまうという課題を有していた。
【００１０】
従来の空気調和機に用いられる冷媒と空気とが熱交換を行う冷凍サイクルでは、空間に大量に存在する空気に冷媒が放熱したときの空気の温度変化が小さいことと、吹出し温度を所望の温度にする必要がないことから、結果、冷媒は空気の温度変化の影響を受けにくいため、上述した課題認識はなかった。
【００１１】
一方、水と冷媒とで熱交換を行う冷凍サイクルでは、水冷媒熱交換器で冷媒が放熱した熱量を水が吸熱することで、水の温度が大きく変化するため、冷媒は水の温度変化の影響を受けやすく、また空気調和機とは異なり所望の温度の湯水にする必要があるため、上記課題は、水と冷媒とで熱交換を行う冷凍サイクルを用いることによって初めて見出される特有の課題である。
【００１２】
本発明は、前記従来の課題を解決するもので、冷媒の吐出温度の上昇を抑制し、信頼性を損なうことの無いヒートポンプ式温水暖房装置を提供することを目的とする。
【課題を解決するための手段】
【００１３】
前記従来の課題を解決するために、本発明のヒートポンプ式温水暖房装置は、冷媒を圧縮する圧縮機、高温冷媒と水とが熱交換を行う水冷媒熱交換器、冷媒を減圧する減圧装置、冷媒と空気とが熱交換を行う蒸発器を順次環状に接続してなる冷凍サイクルと、水冷媒熱交換器で生成した高温水を暖房端末へ送る温水ポンプとを備えたヒートポンプ式温水暖房装置において、蒸発器内の冷媒流路を複数に分岐させて構成するとともに、蒸発器における複数の冷媒流路のうち少なくとも１つの冷媒流路の空気と冷媒との熱交換量が、蒸発器におけるその他の冷媒流路での空気と冷媒との熱交換量よりも少なくなるように構成することにより、蒸発器の出口での冷媒合流後の過熱度を低減することで、圧縮機への吸入温度を下げ、その結果、圧縮機から吐出される冷媒温度を下げることができ、圧縮機の信頼性を損なうこと防止することができる。
【００１４】
また、本発明のヒートポンプ式温水暖房装置は、冷媒を圧縮する圧縮機、高温冷媒と水とが熱交換を行う水冷媒熱交換器、冷媒を減圧する減圧装置、冷媒と空気とが熱交換を行う蒸発器を順次環状に接続してなる冷凍サイクルと、水冷媒熱交換器で生成した高温水を貯める貯湯タンクと、貯湯タンク内の高温水を暖房端末へ送る温水ポンプとを備えたヒートポンプ式温水暖房装置において、蒸発器内の冷媒流路を複数に分岐させて構成するとともに、蒸発器における複数の冷媒流路のうち少なくとも１つの冷媒流路の空気と冷媒との熱交換量が、蒸発器におけるその他の冷媒流路での空気と冷媒との熱交換量よりも少なくなるように構成することにより、蒸発器の出口での冷媒合流後の過熱度を低減することで、圧縮機への吸入温度を下げ、その結果、圧縮機から吐出される冷媒温度を下げることができ、圧縮機の信頼性を損なうこと防止することができる。
【発明の効果】
【００１５】
本発明は、冷媒の吐出温度の上昇を抑制し、信頼性を損なうことの無いヒートポンプ式温水暖房装置を提供することができる。
【図面の簡単な説明】
【００１６】
【図１】本発明の実施の形態１におけるヒートポンプ式温水暖房装置の構成図
【図２】同実施の形態１における他のヒートポンプ式温水暖房装置の構成図
【図３】同実施の形態１における他のヒートポンプ式温水暖房装置の構成図
【図４】同実施の形態１における蒸発器の構成図
【図５】同実施の形態１における冷凍サイクルのモリエル線図
【図６】同実施の形態１における他の蒸発器の構成図
【図７】同実施の形態１における他の蒸発器の構成図
【図８】従来のヒートポンプ式温水暖房装置の構成図
【発明を実施するための形態】
【００１７】
第１の発明のヒートポンプ式温水暖房装置は、冷媒を圧縮する圧縮機、高温冷媒と水とが熱交換を行う水冷媒熱交換器、冷媒を減圧する減圧装置、冷媒と空気とが熱交換を行う蒸発器を順次環状に接続してなる冷凍サイクルと、水冷媒熱交換器で生成した高温水を暖房端末へ送る温水ポンプとを備えたヒートポンプ式温水暖房装置において、蒸発器内の冷媒流路を複数に分岐させて構成するとともに、蒸発器における複数の冷媒流路のうち少なくとも１つの冷媒流路の空気と冷媒との熱交換量が、蒸発器におけるその他の冷媒流路での空気と冷媒との熱交換量よりも少なくなるように構成することにより、蒸発器の出口での冷媒合流後の過熱度を低減することで、圧縮機への吸入温度を下げ、その結果、圧縮機から吐出される冷媒温度を下げることができ、圧縮機の信頼性を損なうこと防止することができる。
【００１８】
第２の発明のヒートポンプ式温水暖房装置は、冷媒を圧縮する圧縮機、高温冷媒と水とが熱交換を行う水冷媒熱交換器、冷媒を減圧する減圧装置、冷媒と空気とが熱交換を行う蒸発器を順次環状に接続してなる冷凍サイクルと、水冷媒熱交換器で生成した高温水を貯める貯湯タンクと、貯湯タンク内の高温水を暖房端末へ送る温水ポンプとを備えたヒートポンプ式温水暖房装置において、蒸発器内の冷媒流路を複数に分岐させて構成するとともに、蒸発器における複数の冷媒流路のうち少なくとも１つの冷媒流路の空気と冷媒との熱交換量が、蒸発器におけるその他の冷媒流路での空気と冷媒との熱交換量よりも少なくなるように構成することにより、蒸発器の出口での冷媒合流後の過熱度を低減することで、圧縮機への吸入温度を下げ、その結果、圧縮機から吐出される冷媒温度を下げることができ、圧縮機の信頼性を損なうこと防止することができる。
【００１９】
第３の発明のヒートポンプ式温水暖房装置は、特に第１または第２の発明において、蒸発器における複数の冷媒流路のうち少なくとも１つの冷媒流路の配管長を、蒸発器におけるその他の冷媒流路の配管長よりも短くしたことにより、一部の冷媒流路の伝熱面積が少なくなることで伝熱能力が低下し、冷媒の乾き度を小さくして、合流後の冷媒の加熱度を低減することができる。
【００２０】
第４の発明のヒートポンプ式温水暖房装置は、特に第１から第３の発明において、蒸発器における複数の冷媒流路のうち少なくとも１つの冷媒流路の配管の伝熱性能を、蒸発器におけるその他の冷媒流路の配管の伝熱性能よりも低くしたことにより、一部の冷媒流路での伝熱能力が低下し、冷媒の乾き度を小さくして、合流後の冷媒の加熱度を低減することができる。
【００２１】
第５の発明のヒートポンプ式温水暖房装置は、特に第１から第４の発明において、蒸発器を前後２列の構成とし、蒸発器における複数の冷媒流路のうち少なくとも１つの冷媒流路を流れる冷媒流れと空気流れと平行流とし、蒸発器におけるその他の冷媒流路を流れる冷媒流れと空気流れを対向流としたことにより、一部の冷媒流路での伝熱能力が低下し、冷媒の乾き度を小さくして、合流後の冷媒の加熱度を低減することができる。
【００２２】
第６の発明のヒートポンプ式温水暖房装置は、特に第１から第５の発明において、蒸発器における複数の冷媒流路のうち少なくとも１つの冷媒流路へ流れる冷媒量を、蒸発器におけるその他の冷媒流路へ流れる冷媒量よりも多くしたことにより、一部の冷媒流路の冷媒の乾き度を小さくして、合流後の冷媒の加熱度を低減することができる。
【００２３】
第７の発明のヒートポンプ式温水暖房装置は、特に第１から第６の発明において、圧縮機、減圧装置、蒸発器を収納するヒートポンプユニットと、水冷媒熱交換器を収納する熱交換ユニットとを別ユニットにて構成し、熱交換ユニットを屋内に配したことにより、屋内と屋外との接続は冷媒配管で行うため、外気温度が低い寒冷地等においても配管が凍結する恐れを少なくすることができる。
【００２４】
以下、本発明の実施の形態について、図面を参照しながら説明する。なお、この実施の形態によって本発明が限定されるものではない。
【００２５】
（実施の形態１）
図１は、本発明の実施の形態１におけるヒートポンプ式温水暖房装置の構成図である。まず、図１を用いてヒートポンプ式温水暖房装置の構成を説明する。本実施の形態のヒートポンプ式温水暖房装置は、冷媒を圧縮して高温冷媒を吐出する圧縮機１と、水と高温冷媒とを熱交換して高温水を生成する水冷媒熱交換器２と、冷媒を減圧する減圧装置３と、空気と冷媒とで熱交換を行う蒸発器４とを順次冷媒配管５で環状に接続してなる冷凍サイクル６を有している。さらに、蒸発器４へ送風するための送風ファン７を有している。なお、冷媒にはＲ４１０Ａを用いているが、その他、フルオロカーボン系の冷媒を用いることができる。また、圧縮機１は密閉型であり、高圧側にモータを配し、モータには希土類磁石を用いている。
【００２６】
また、居室内を暖房する暖房端末８（例えば、床暖房パネルや輻射パネル等）を備えており、暖房端末８の内部を水冷媒熱交換器２で生成した高温水を流して居室内を暖房するものである。そのため、暖房端末８と水冷媒熱交換器２とを水が循環する構成となっており、水を循環させるための温水ポンプ９を備えている。
【００２７】
そして、水冷媒熱交換器２の温水出口側に出湯温度を検出するための温度センサ１３を設け、温度センサ１３で検出される温度が、リモコン装置等（図示せず）によって設定された設定温度に近づけば、圧縮機１の回転数を少なくして能力を下げる。この場合、能力が低下するが、水温により高圧圧力が決まるため、圧縮機１の吐出温度は能力に伴いほとんど下がることはない。
【００２８】
また、圧縮機１の吐出冷媒の温度を検出する温度センサ１４を設け、温度センサ１４で検出される温度が、リモコン装置等で設定された設定温度に対して予め関連付けられている最適吐出温度となるように減圧装置３が制御される。
【００２９】
図１では、冷凍サイクル６をヒートポンプユニット１０ａの筐体内に収め屋外に配する構成としている。そのため屋内と屋外とは水配管によって接続されることになり、ヒートポンプユニット１０ａ内に冷凍サイクル６を全て収納することができ、設置時の配管の接続は、水配管の接続のみとなり施工性は高い。
【００３０】
また、図２に示すようなヒートポンプ式温水暖房装置の構成としてもよい。図２に示すように、冷凍サイクルを構成する機能部品のうち水冷媒熱交換器２以外の部品をヒートポンプユニット１０ｂの筐体内に収納し、水冷媒熱交換器２を熱交換ユニット１０ｃの筐体内に収納する構成であってもよい。この場合、ヒートポンプユニット１０ｂを屋外に配し、熱交換ユニット１０ｃを屋内に配することで、屋内と屋外とは冷媒配管によって接続されることになる。そのため冬季など外気温度が低い時であっても、屋内と屋外とは冷媒配管で接続されているため、水配管で接続されているときに比べて凍結の恐れが低いという利点がある。
【００３１】
また、図３に示すようなヒートポンプ式温水暖房装置の構成としてもよい。図３では、貯湯タンク１１および沸き上げポンプ１２を設けている。そのため、水冷媒熱交換器２では、貯湯タンク１１へ貯める高温水を生成しており、貯湯タンク１１へ貯められた高温水を暖房端末８へ送る構成となっている。また、水冷媒熱交換器２へは沸き上げポンプ１２を駆動することによって貯湯タンク１１の底部の水を送り、水冷媒熱交換器２で生成された高温水は貯湯タンク１１へ戻される。
【００３２】
図３のように構成することによって、蒸発器４に着霜したときに行う除霜運転中であっても、暖房端末８へは貯湯タンク１１へ貯められた高温水を送ることになるので、安定して高温水を送ることができ、除霜運転の影響を最小限にすることができる。なお、図２および図３ともに、図１と同じ部位については同じ記号を付して説明している。さらに図１から図３の冷凍サイクルには四方弁を図示していないが、蒸発器４の除霜運転やポンプダウンを行うために、圧縮機１から吐出する冷媒を水冷媒熱交換器２か蒸発器４のいずれに送るかを切り替える四方弁を設けていてもよい。
【００３３】
以上のように構成されたヒートポンプ式温水暖房装置において、以下、蒸発器４の構成について説明する。
【００３４】
図４は、本実施の形態１における蒸発器の構成図である。本実施の形態の蒸発器は、フィンアンドチューブ式の熱交換器を用いており、平型や波型の複数のフィン４１に直交するように冷媒管４２ａ〜４２ｄが内部を貫通しており、空気と冷媒との熱交換を行っている。
【００３５】
そして本実施の形態１における蒸発器４内の冷媒流路は４つに分岐されており、減圧装置３に接続されている冷媒管４３ａが分配器４４に接続され、分配器４４の下流側で冷媒管４２ａ〜４２ｄの４流路に分配されている。また、蒸発器４の出口側には冷媒管４２ａ〜４２ｄを接続して冷媒を合流させる合流器４５が配されており、合流器４５の下流側には圧縮機に接続される冷媒管４３ｂが接続されている。
【００３６】
そして、蒸発器４内の４流路のうち、冷媒管４２ａ〜４２ｃの冷媒流路と、冷媒管４２ｄの冷媒流路との配管長を異ならしている。つまり冷媒管４２ａ〜４２ｄに同じ循環量の冷媒を流すと、冷媒管４２ａ〜４２ｃの冷媒流路での出口部での冷媒の過熱度が同じとなり、冷媒管４２ｄの出口部での冷媒の過熱度が、冷媒管４２ａ〜４２ｃの過熱度よりも小さくなるようにしている。
【００３７】
図５は、本実施の形態の蒸発器４を用いた冷凍サイクルのモリエル線図である。図５に示すように、従来から用いられていた蒸発器では冷媒管４２ａ〜４２ｄを同じ配管長としていたため合流器４５の下流側の冷媒の状態はＭａに位置しており、このような冷媒状態のまま圧縮してしまうと等温線ＴＨまで吐出温度が上昇してしまう。
【００３８】
しかしながら、図４に示すような蒸発器を用いた場合、冷媒管４２ａ〜４２ｃの配管長Ｌａと、冷媒管４２ｄの配管長Ｌｂとを異ならせており、Ｌａ＞Ｌｂの関係を有しているため、冷媒管４２ａ〜４２ｃの出口の冷媒状態はＭａとなるが、冷媒管４２ｄの出口の冷媒状態はＭｃに位置する。そしてそれぞれの冷媒経路から出た冷媒が合流した結果、合流器４５よりも下流側の冷媒の状態はＭｄに位置することになり、Ｍｄの状態の冷媒を圧縮機で圧縮すると、等温線ＴＬ上に位置する状態Ｍｅとなる。このときＴＬ＜ＴＨという関係なので、圧縮機１から吐出する冷媒の温度が低くなる。
【００３９】
以上のように、本実施の形態の蒸発器では、蒸発器４の冷媒流路の少なくとも１つの冷媒流路の配管長を、蒸発器４のその他の冷媒流路の配管長よりも短くしたことにより、配
管長を短くした冷媒流路での伝熱性能を低下させて、合流器４５よりも下流側の冷媒の過熱度を低減することができるので、圧縮機１から吐出する冷媒温度を低減することができる。
【００４０】
また、本実施の形態では、蒸発器４に設けた冷媒流路を４経路設けたが、これに限定されることはない。さらに、本実施の形態では、４つの冷媒流路のうち、１つの冷媒流路のみの配管長を短くしたが、蒸発器４では熱交換量が異なる冷媒流路を設ければよいので、熱交換量を低下させる冷媒流路を１つに限定する必要は無い（例えば、４つの冷媒流路を設けて、２つの冷媒流路の配管長を短くする）。
【００４１】
また、蒸発器４の構成を図６に示すように前後２列のフィンアンドチューブ式熱交換器で構成してもよい。この場合、蒸発器４は前側蒸発器４ａと後側蒸発器４ｂで構成されている。そして、送風ファン７が駆動することによって後側から前側へと空気流れが発生する。
【００４２】
そこで、蒸発器４における複数の冷媒流路のうち少なくとも１つの冷媒流路を流れる冷媒流れと空気流れと平行流とし、蒸発器におけるその他の冷媒流路を流れる冷媒流れと空気流れを対向流とする。つまり、冷媒流路４２ａ〜４２ｃは前側蒸発器４ａから入り、後側蒸発器４ｂから出るようにし、冷媒流路４２ｄは後側蒸発器４ｂから入り、後側蒸発器４ｂから出るようにする。
【００４３】
その結果、冷媒流路４２ａ〜４２ｃ内の冷媒は空気流れと対向方向に流れ、冷媒流路４２ｄ内の冷媒は空気流れと平行方向に流れることになり、冷媒流路４２ａ〜４２ｃでの熱交換量よりも、冷媒流路４２ｄでの熱交換量の方が小さくなる。冷媒流路４２ａ〜４２ｃの出口部の過熱度よりも、冷媒流路４２ｄの出口部の過熱度の方が小さくなり、合流器４５よりも下流側での冷媒の過熱度を抑えることができ、圧縮機１から吐出する冷媒温度も低下させることができる。
【００４４】
また、蒸発器４に設けた冷媒流路を４経路設けたが、これに限定されることはない。また、４つの冷媒流路のうち、１つの冷媒流路のみの平行流としたが、蒸発器４では熱交換量が異なる冷媒流路を設ければよいので、熱交換量を低下させる冷媒流路を１つに限定する必要は無い（例えば、４つの冷媒流路を設けて、２つの冷媒流路を平行流とする）。
【００４５】
また、蒸発器４の構成を図７に示すように分配用のキャピラリチューブ４６ａ〜４６ｄを設けて、キャピラリチューブ４６ｄのみの絞り効果を少なくすることで、冷媒流路４２ｄへ流れる冷媒量を、冷媒流路４２ａ〜４２ｃへ流れる冷媒量に比べて多くすることができる。その結果、冷媒流路４２ｄでの過熱度上昇を抑えることができ、合流器４５の下流側における冷媒の過熱度も抑えることができる。なお、冷媒流路４２ｄのみキャピラリチューブを設けない構成としてもよい。
【００４６】
また、蒸発器４に設けた冷媒流路を４経路設けたが、これに限定されることはない。また、４つの冷媒流路のうち、１つの冷媒流路のみのキャピラリチューブの絞り効果を異ならしたが、蒸発器４において熱交換量が異なる冷媒流路を設ければよいので、熱交換量を低下させる冷媒流路を１つに限定する必要は無い（例えば、４つの冷媒流路を設けて、２つの冷媒流路のキャピラリチューブの絞り効果を異ならせる）。また、キャピラリチューブを設けることなく、分配器４４の分配割を偏流させて冷媒流路４２ｄに流れる冷媒流量を多くしてもよい。
【産業上の利用可能性】
【００４７】
以上のように、本発明のヒートポンプ式温水暖房装置は、貯湯タンクがある温水暖房装
置にも、貯湯タンクがない温水暖房装置にも適用することができる。
【符号の説明】
【００４８】
１  圧縮機
２  水冷媒熱交換器
３  減圧装置
４  蒸発器
５  冷媒配管
６  冷凍サイクル
７  送風ファン
８  暖房端末
９  温水ポンプ
１０ａ  ヒートポンプユニット
１０ｂ  ヒートポンプユニット
１０ｃ  熱交換ユニット
１１  貯湯タンク
１２  沸き上げポンプ
１３  温度センサ
１４  温度センサ
４１  フィン
４２ａ〜ｄ  冷媒流路
４３ａ、ｂ  冷媒管
４４  分配器
４５  合流器
４６ａ〜ｄ  キャピラリチューブ
【図１】
2011052850.tif 000003
【図２】
2011052850.tif 000004
【図３】
2011052850.tif 000005
【図４】
2011052850.tif 000006
【図５】
2011052850.tif 000007
【図６】
2011052850.tif 000008
【図７】
2011052850.tif 000009
【図８】
2011052850.tif 000010